(57)【要約】【課題】羽根板部を軒側に倒そうとする積雪荷重に抗する高耐久強度を発揮すると共に、容易に製作可能で量産性にも優れる雪止め金具を提供すること。【解決手段】羽根板部１に上方から被嵌可能な被嵌体４を備え、この被嵌体４の前側に設けた係止部９を羽根板部１に設けた係合孔12に貫通係止すると共に、被嵌体４に設けた一側挟持部10と羽根板部１に設けた他側挟持部11との間に締付ボルト13を架設し、この締付ボルト13に螺着したナット14を締付回動して一側挟持部10と他側挟持部11の対向間隔を狭めることで、屋根材２を一側挟持部10と他側挟持部11とで締付挟持固定可能な挟持部３を構成すると共に、この締付ボルト13の締付回動により前記被嵌体４を介して前記羽根板部１が後方へ引動されるように構成する。【選択図】図１
2014152472.tif 000002
【特許請求の範囲】
【請求項１】
屋根上の雪をせき止める羽根板部の後部に、屋根材に対して締付挟持固定する挟持部を設けた雪止め金具において、前記羽根板部に上方から被嵌可能な被嵌体を備え、この被嵌体は、羽根板部の前方に配する前方配設部と、羽根板部の上方に配する上方配設部と、羽根板部の後方に配する後方配設部とから成る略逆Ｕ字状の被嵌本体部の前記前方配設部に係止部を設けると共に、前記後方配設部に、この被嵌本体部を羽根板部に被嵌した際に羽根板部の後方に突出する一側挟持部を設けた構成とし、この被嵌体の前記被嵌本体部を前記羽根板部に被嵌した際に、前記係止部を羽根板部の前方から差込んで後方へ貫通させた状態で係止可能な係合孔を羽根板部に設けると共に、前記一側挟持部の下方に対向配置する他側挟持部を羽根板部の後部に設け、この一側挟持部と他側挟持部との間に締付ボルトを架設して、この締付ボルトを締付回動若しくはこの締付ボルトに螺着したナットを締付回動して一側挟持部と他側挟持部の対向間隔を狭めることで、前記屋根材を一側挟持部と他側挟持部とで締付挟持固定可能な前記挟持部を構成すると共に、この締付ボルト若しくはナットの締付回動により前記被嵌体を介して前記羽根板部が後方へ引動されるように構成したことを特徴とする雪止め金具。
【請求項２】
前記被嵌体は、金属板を折曲して板状の前記前方配設部と、板状の前記上方配設部と、板状の前記後方配設部とが略逆Ｕ字状に連設する前記被嵌本体部を構成すると共に、この前方配設部の下部から板状の前記係止部が一体に突出し且つ前記後方配設部の下端部から被嵌本体部の後方へ板状の前記一側挟持部が一体に折曲突出する形状に構成し、前記羽根板部は、金属板を折曲して羽根形成板部の下部から板状の前記他側挟持部が後方へ一体に突出する形状に構成したことを特徴とする請求項１記載の雪止め金具。
【請求項３】
前記係止部は、前記前方配設部の下端から前記後方配設部側に突出する後向き片部と、この後向き片部の後端部から下方へ突出する下向き片部とから成り、前記被嵌体を、前記一側挟持部を上に向けた状態で前記下向き片部を前記羽根板部の前方から前記係合孔に差込んだ後、前記一側挟持部を下方に伏動回動させると、前記後向き片部が前記係合孔に貫通配設すると共に、前記下向き片部が羽根板部の後面に沿設して係合孔に係止部が抜け止め係止する構成としたことを特徴とする請求項１，２のいずれか１項に記載の雪止め金具。
【発明の詳細な説明】
【技術分野】
【０００１】
本発明は、屋根用の雪止め金具に関するものである。
【背景技術】
【０００２】
従来の雪止め金具は、屋根の固定箇所（屋根板材の重合凸条部など）に固定可能な固定部の軒先側の端部に、雪止め機能を有する平板状の羽根板部を立設状態に設けたものがある（例えば、特許文献１参照。）。
【先行技術文献】
【特許文献】
【０００３】
【特許文献１】特許第５１４３８５９号公報
【発明の概要】
【発明が解決しようとする課題】
【０００４】
この種の羽根板部付の雪止め金具は、羽根板部に積雪の大きな荷重が加わると、羽根板部を屋根の軒側に倒そうとする強い力が作用し、場合によっては羽根板部や固定部が変形したり破損してしまうことがある。
【０００５】
本発明は、このような問題点に注目し、これを解決しようとするためのもので、羽根板部を軒側に倒そうとする積雪荷重に抗する高耐久強度を発揮すると共に、容易に製作可能で量産性にも優れる雪止め金具を提供するものである。
【課題を解決するための手段】
【０００６】
添付図面を参照して本発明の要旨を説明する。
【０００７】
屋根上の雪をせき止める羽根板部１の後部に、屋根材２に対して締付挟持固定する挟持部３を設けた雪止め金具において、前記羽根板部１に上方から被嵌可能な被嵌体４を備え、この被嵌体４は、羽根板部１の前方に配する前方配設部６と、羽根板部１の上方に配する上方配設部７と、羽根板部１の後方に配する後方配設部８とから成る略逆Ｕ字状の被嵌本体部５の前記前方配設部６に係止部９を設けると共に、前記後方配設部８に、この被嵌本体部５を羽根板部１に被嵌した際に羽根板部１の後方に突出する一側挟持部10を設けた構成とし、この被嵌体４の前記被嵌本体部５を前記羽根板部１に被嵌した際に、前記係止部９を羽根板部１の前方から差込んで後方へ貫通させた状態で係止可能な係合孔12を羽根板部１に設けると共に、前記一側挟持部10の下方に対向配置する他側挟持部11を羽根板部１の後部に設け、この一側挟持部10と他側挟持部11との間に締付ボルト13を架設して、この締付ボルト13を締付回動若しくはこの締付ボルト13に螺着したナット14を締付回動して一側挟持部10と他側挟持部11の対向間隔を狭めることで、前記屋根材２を一側挟持部10と他側挟持部11とで締付挟持固定可能な前記挟持部３を構成すると共に、この締付ボルト13若しくはナット14の締付回動により前記被嵌体４を介して前記羽根板部１が後方へ引動されるように構成したことを特徴とする雪止め金具に係るものである。
【０００８】
また、前記被嵌体４は、金属板15を折曲して板状の前記前方配設部６と、板状の前記上方配設部７と、板状の前記後方配設部８とが略逆Ｕ字状に連設する前記被嵌本体部５を構成すると共に、この前方配設部６の下部から板状の前記係止部９が一体に突出し且つ前記後方配設部８の下端部から被嵌本体部５の後方へ板状の前記一側挟持部10が一体に折曲突出する形状に構成し、前記羽根板部１は、金属板16を折曲して羽根形成板部28の下部から板状の前記他側挟持部11が後方へ一体に突出する形状に構成したことを特徴とする請求項１記載の雪止め金具に係るものである。
【０００９】
また、前記係止部９は、前記前方配設部６の下端から前記後方配設部８側に突出する後向き片部17と、この後向き片部17の後端部から下方へ突出する下向き片部18とから成り、前記被嵌体４を、前記一側挟持部10を上に向けた状態で前記下向き片部18を前記羽根板部１の前方から前記係合孔12に差込んだ後、前記一側挟持部10を下方に伏動回動させると、前記後向き片部17が前記係合孔12に貫通配設すると共に、前記下向き片部18が羽根板部１の後面に沿設して係合孔12に係止部９が抜け止め係止する構成としたことを特徴とする請求項１，２のいずれか１項に記載の雪止め金具に係るものである。
【発明の効果】
【００１０】
本発明は上述のように構成したから、被嵌体に設けた係止部を羽根板部に設けた係合孔に差し込みすると共に、一側挟持部と他側挟持部とに締付ボルトを架設するだけで被嵌体を羽根板部に取付けて屋根材に挟持固定する挟持部を構成でき、この取付作業にリベット加工やカシメ加工を要しないから製作工程を削減できると共に、取付けに要する部品点数も削減して安価に量産可能であり、また、羽根板部と被嵌体を別個に製作できるため、各部品を容易に製作可能であると共に、屋根材に適応する対向間隔の挟持部を設定構成することも容易に可能であり、しかも本発明は、挟持部の締付ボルトの締付回動により被嵌体が後方へ引動されて、この被嵌体（の係止部）が係止している羽根板部も後方へ引動されるから、この羽根板部を屋根の軒側に倒そうとする力が作用しても、後方へ引動される羽根板部がこの積雪荷重に強固な抵抗力を発揮して倒れにくく、締付ボルトの締付度合を強くするほど羽根板部が後方へ強く引動されて、羽根板部が積雪荷重に対する強固な倒れ抵抗力を発揮することになり、その上、羽根板部を屋根の軒側に倒そうとする力が作用すると、挟持部を上方へ浮き上がらせようとするテコ作用が生じるが、本発明ではこのテコ作用の力点（羽根板部の荷重を受けている位置）と支点（羽根板部の係合孔に係止している被嵌体の係止部位置）とが近く且つこのテコ作用の作用点（屋根材に締付挟持している挟持部位置）と前記支点とが離れた関係となるので、大きなテコ作用が働かず、挟持部が浮き上がって屋根材から外れてしまうような不都合を生じにくいなど、極めて実用性に優れた画期的な雪止め金具となる。
【００１１】
また、請求項２記載の発明においては、被嵌本体部と係止部と一側挟持部を有する被嵌体も、他側挟持部を有する羽根板部も、例えば金属板をプレス成形することで容易に量産可能であり、しかも、羽根板部は、他側挟持部と一体であるから強度が高く、そのため羽根板部を他側挟持部に対して屋根の軒側へ倒そうとする荷重や、羽根板部を下から持ち上げようとする荷重に対して強い抵抗力を発揮できる構造であるなど、一層実用性に優れた構成の雪止め金具となる。
【００１２】
また、請求項３記載の発明においては、羽根板部の係合孔に、羽根板部の前方から差込んで後方へ貫通させた状態で係止可能な係止部を簡易構成にして容易に設計実現可能となると共に、羽根板部への被嵌体の被嵌取付作業が容易に行われて一層製作容易となるなど、極めて実用性に優れた構成の雪止め金具となる。
【図面の簡単な説明】
【００１３】
【図１】実施例１を示す斜視図である。
【図２】実施例１を示す被嵌体を分解した斜視図である。
【図３】実施例１を示す別角度からの斜視図である。
【図４】実施例１を示す正面図である。
【図５】実施例１の羽根板部への被嵌体の取付方法を示す説明図である。
【図６】実施例１の挟持部の挟持作動並びに係止部の係合孔への係止構造を示す説明側断面図である。
【図７】実施例２を示す斜視図である。
【発明を実施するための形態】
【００１４】
好適と考える本発明の実施形態を、図面に基づいて本発明の作用を示して簡単に説明する。
【００１５】
本発明の雪止め金具は、被嵌体４の略逆Ｕ字状の被嵌本体部５を羽根板部１に上方から被嵌し、この被嵌本体部５の前方配設部６に設けた係止部９を羽根板部１に設けた係合孔12に羽根板部１の前方から挿入して後方へ貫通させた状態で係止すると共に、被嵌本体部５の後方配設部８に設けた一側挟持部10を羽根板部１の後方に突出させ、この一側挟持部10と、その下方に対向配置する羽根板部１の後部に設けた他側挟持部11との間に締付ボルト13を架設して、この締付ボルト13を締付回動若しくはこの締付ボルト13に螺着したナット14を締付回動して一側挟持部10と他側挟持部11の対向間隔を狭めることで、屋根材２を一側挟持部10と他側挟持部11とで締付挟持固定可能な前記挟持部３を構成している。
【００１６】
従って、このように構成した本発明によれば、挟持部３の構成部品（一側挟持部10）を具備する被嵌体４の羽根板部１への取付けが、係止部９を係合孔12に差し込んで一側挟持部10と他側挟持部11とに締付ボルト13を架設するだけで良いから簡単であり、この取付作業にリベット加工やカシメ加工を要しないから製作工程を削減できると共に、取付けに要する部品点数も削減でき、安価に量産可能である。
【００１７】
また、羽根板部１と被嵌体４とを別個に製作できるため、各部品を容易に製作可能であると共に、屋根材２に適応する対向間隔の挟持部３を設定構成することも容易に可能であり、更に、一側挟持部10を具備する被嵌体４を、羽根板部１に対してリベット止めしたりカシメ止めしたりして羽根板部１と一体化させる構成でないため、例えば、現場で挟持部３の対向間隔が屋根材２に合わない場合に、その場で一側挟持部10の他側挟持部11に対する対向間隔を広く設定し直すようなことも可能である。
【００１８】
この本発明の雪止め金具は、挟持部３の一側挟持部10と他側挟持部11とで屋根材２を挟み、一側挟持部10と他側挟持部11との間に架設した締付ボルト13を締付回動若しくはこの締付ボルト13に螺着したナット14を締付回動することで、一側挟持部10と他側挟持部11の対向間隔を狭めて挟持部３で屋根材２を締付挟持して屋根上に固定できる。
【００１９】
また、この際、締付ボルト13の締付回動により一側挟持部10と他側挟持部11の対向間隔が狭められると、羽根板部１の前方から上方を介して後方へと配設される被嵌本体部５を有する被嵌体４が後方へ引動され、この被嵌体４（係止部９）が係止している羽根板部１も後方へ引動された状態になる。
【００２０】
そのため、羽根板部１に大きな積雪荷重が加わることで羽根板部１を屋根の軒側に倒そうとする力が作用しても、締付ボルト13の締付により被嵌体４を介して後方へ引動されている羽根板部１がこの積雪荷重に強固な抵抗力を発揮して倒れにくい。
【００２１】
即ち、締付ボルト13の締付度合を強くするほど羽根板部１が後方へ強く引動されて、羽根板部１が積雪荷重に対する強固な倒れ抵抗力を発揮することになる。
【００２２】
また、羽根板部１にこの羽根板部１を屋根の軒側に倒そうとする力が作用すると、この羽根板部１の荷重を受けている位置を力点、羽根板部１の係合孔12に係止している被嵌体４の係止部９位置を支点、屋根材２に締付挟持している挟持部３位置を作用点とするテコ作用が生じて、挟持部３を上方へ浮き上がらせようとするが、本発明ではこの力点と支点が近く且つ支点と作用点とが離れた関係となるので、大きなテコ作用が働かず、従って挟持部３が浮き上がって屋根材２から外れてしまうような不都合を生じにくい。
【実施例１】
【００２３】
本発明の具体的な実施例１について図１〜図６に基づいて説明する。
【００２４】
本実施例は、横葺（平葺）屋根用の雪止め金具に適用したもので、屋根上の雪をせき止める羽根板部１の後部に、平葺用屋根材２の接合用折り返し板部20に固定可能な挟持部３を設けている。
【００２５】
具体的には、本実施例の羽根板部１は、図１〜図３に示すように、横長の金属板16で構成すると共に、その横幅方向（左右方向）の中央部に対し左右両側部を屋根の棟部側に向けて折曲することにより、中央部より左右両側部が屋根の棟部側に位置する形状の羽根形成板部28を形成している。
【００２６】
更に具体的には、横長の羽根板部１の羽根形成板部28の形状を、プレス加工などにより中央部が平板状で、且つ左右両側部が中央の平板部より屋根の棟部側に位置することになる平面視弧状の湾曲板形状に折曲形成して、この羽根形成板部28の左右両端部が、屋根の勾配方向と直交する左右方向に対し屋根の棟部側に傾斜した傾斜方向を向く形状に構成している。
【００２７】
このように左右両側部を湾曲板状に形成した本実施例の羽根板部１（羽根形成板部28）は、全域が平板状に形成される従来品の羽根板部に比べて著しく強度が向上する。更にこの羽根形成板部28には、左右幅いっぱいに補強リブ21を形成すると共に、上端縁を屋根の棟側に、下端縁を屋根の軒側に向けて折曲形成して、この上下の折曲部22と前記補強リブ21とで羽根形成板部28の耐変形強度を著しく向上させている。
【００２８】
また、傾斜方向を向く羽根形成板部28の左右両端部の夫々の端縁が、羽根形成板部28より屋根の棟側にせき止められている積雪の傾斜下方側部分に対して食い込むようにして接することになり、例えば、羽根形成板部28のない位置の積雪（間隔を置いて設置固定される雪止め金具間の隙間に存する積雪）が少しでも屋根の傾斜下方側に滑動すると、左右両端縁が積雪に深く食い込んで積雪に切り込み（切れ目）を生じ易くなる。即ち、左右両端縁によって生じる切り込みによって雪止め金具間に存する積雪の塊が、その両側に存して羽根形成板部28でせき止められている積雪の塊から切り離され易くなるので、雪止め金具間に存する屋根上の積雪が滑落し易くなる構成としている。
【００２９】
また、本実施例の羽根板部１は、図２に示すように、羽根形成板部28の中ほどにこの羽根形成板部28を前後方向に貫通する横長スリット状の貫通孔12を形成してこの貫通孔12を後述する係止部９を係止するための係合孔12とし、更にこの中ほどの上部を下方に凹む形状に形成してこの凹部27を後述する被嵌体４の上方配設部７を配設するための収容凹部27とし、この収容凹部27に上方配設部７が羽根形成板部28の上縁部と略面一状態で体裁良く収容配設される構成としている（図４参照。）。
【００３０】
また、この羽根板部１は、その羽根形成板部28の下部中央部から帯板が一体的に延設する形状の前記金属板16で構成し、この下部の延設帯板をプレス折曲により後方へ直角に折曲突出させてこの折曲突出板部11を前記平葺用屋根材２上に接地させて前記接合用折り返し板部20の下部に差し込む他側挟持部11とし、この他側挟持部11の突出後端寄り位置に締付ボルト13を回り止め状態に取付可能なボルト取付孔23（角孔）を上下貫通状態に設けると共に、この突出先端（後端）部を逆への字状に折曲してこの折曲先端部を下側挟持爪25としている。
【００３１】
本実施例は、前記羽根板部１に上方から被嵌装着する被嵌体４を備えている。
【００３２】
具体的には、被嵌体４は、帯板状の金属板15をプレス折曲することで、羽根板部１の羽根形成板部28の前方に配する平板状の前方配設部６と、羽根形成板部28の上方に配する平板状の上方配設部７と、羽根形成板部28の後方に配する湾曲板状の後方配設部８とから成るやや変形した略逆Ｕ字状（略転コ字状でも良い）の被嵌本体部５を構成し、更にこの被嵌本体部５の前方配設部６の下部より板状の係止部９が一体に折曲突出すると共に、前記後方配設部８の下部より、被嵌本体部５を羽根形成板部28に被嵌した際に羽根形成板部28の後方に突出する板状の一側挟持部10が一体に折曲突出する形状に構成している。
【００３３】
また、前記係止部９は、プレス折曲により前記前方配設部６の下端から前記後方配設部８側に直角に折曲突出する後向き片部17と、この後向き片部17の後端部から下方へ直角に折曲突出する下向き片部18とから成る構成とし、前記一側挟持部10には、突出後端寄り位置にボルト通し孔24を上下貫通状態に設けると共に、この突出先端（後端）部を下方へ直角に折曲突出させてこの折曲先端部を上側挟持爪26としている。
【００３４】
この被嵌体４の前記羽根板部１（羽根形成板部28）への被嵌取付構造は、図５に示すように、前記被嵌体４を、前記一側挟持部10を上に向けた状態で前記下向き片部18を前記羽根形成板部28の前方から前記係合孔12に差込んだ後、この係合孔12に差込んだ下向き片部18と前記後向き片部17の連設部19を支点に係合孔12に対し前記一側挟持部10を下方に伏動回動させると、前記後向き片部17が前記係合孔12に貫通配設すると共に、前記下向き片部18が羽根形成板部28の後面に沿設して係合孔12に係止部９が抜け止め係止状態となり、続いて図６に示すように、前記ボルト取付孔23に下方から締付ボルト13を挿通してそのボルト先端を前記ボルト通し孔24に挿通し、このボルト通し孔24から上方へ突出する締付ボルト13のボルト先端に六角ナット14を螺着することで、被嵌体４を羽根板部１（羽根形成板部28）に被嵌状態で取付けする構造としている。
【００３５】
そして、本実施例では、この締付ボルト13に螺着したナット14を締付回動して一側挟持部10と他側挟持部11の上下対向間隔を狭めることで、前記平葺用屋根材２の接合用折り返し板部20を一側挟持部10と他側挟持部11とで上下から締付挟持固定可能な前記挟持部３を構成すると共に、この締付ボルト13の締付回動により前記被嵌体４を介して前記羽根板部１の羽根形成板部28が後方へ引動されるように構成している。
【００３６】
従って、このように構成した本実施例によれば、締付ボルト13の締付度合を強くするほど羽根板部１の羽根形成板部28が後方へ強く引動されることとなり、屋根上で羽根形成板部28に大きな積雪荷重が加わることで羽根形成板部28を屋根の軒側に倒そうとする力が作用しても、締付ボルト13の締付により被嵌体４を介して後方へ引動されている羽根形成板部28がこの積雪荷重に強固な抵抗力を発揮するので倒れにくい。
【実施例２】
【００３７】
本発明の具体的な実施例２について図７に基づいて説明する。
【００３８】
本実施例は、羽根板部１の構成が前記実施例１と異なる。
【００３９】
即ち、本実施例の羽根板部１は、前記羽根形成板部28を補強リブ21なしの平坦板状に形成した場合を示している。
【００４０】
他の構成は、前記実施例１と同様である。
【００４１】
尚、本発明は、実施例１，２に限られるものではなく、各構成要件の具体的構成は適宜設計し得るものである。
【符号の説明】
【００４２】
１  羽根板部
２  屋根材
３  挟持部
４  被嵌体
５  被嵌本体部
６  前方配設部
７  上方配設部
８  後方配設部
９  係止部
10  一側挟持部
11  他側挟持部
12  係合孔
13  締付ボルト
14  ナット
15  金属板
16  金属板
17  後向き片部
18  下向き片部
28  羽根形成板部
【図１】
2014152472.tif 000003
【図２】
2014152472.tif 000004
【図３】
2014152472.tif 000005
【図４】
2014152472.tif 000006
【図５】
2014152472.tif 000007
【図６】
2014152472.tif 000008
【図７】
2014152472.tif 000009